(57)【要約】【課題】より簡易な構成ながら、端子箱における局所的な加熱の発生を緩和させる。【解決手段】導電体で構成される端子箱２０と、端子箱２０の内部に設けられ、３つの線路側端子１〜３からなる線路側端子行および３つの中性点側端子４〜６からなる中性点側端子行を備え、三相交流電流がそれぞれ通電される星形結線の３相の結線群を有する三相電気機器であって、３相の結線群のうち少なくとも１つの相（Ｕ−ｕ,Ｗ−ｗ）の結線群において、線路側端子行の一端の前記線路側端子（１，３）が、中性点側端子行の中央および他端のいずれか１つの中性点側端子（４，６）と接続されるように配列される。【選択図】      図１
2019106817.tif 000002
【特許請求の範囲】
【請求項１】
導電体で構成される端子箱と、
前記端子箱の内部に設けられ、３つの線路側端子からなる線路側端子行および３つの中性点側端子からなる中性点側端子行を備え、三相交流電流がそれぞれ通電される星形結線の３相の結線群を有する三相電気機器であって、
前記３相の結線群のうち少なくとも１つの相の結線群において、前記線路側端子行の一端の前記線路側端子が、前記中性点側端子行の中央および他端のいずれか１つの前記中性点側端子と接続されるように配列される、三相電気機器。
【請求項２】
前記線路側端子行における前記線路側端子の前記３相の列位置が、前記中性点側端子行における前記中性点側端子の対応する前記３相の列位置とそれぞれ異なる、請求項１記載の三相電気機器。
【請求項３】
前記３相の結線群は、各相に並列した複数ｎ（ｎ：２以上の自然数）本からなり、
前記線路側端子および前記中性点側端子はそれぞれ３×ｎ本の貫通端子を有する、
請求項１または２記載の三相電気機器。
【請求項４】
前記線路側端子および中性点側端子について、相と、線路側または中性点側との少なくともいずれかを識別させる識別子をさらに備える、請求項１乃至３いずれか記載の三相電気機器。
【請求項５】
前記３相の結線群を回転子または固定子に用いる、請求項１乃至４いずれか記載の三相電気機器による回転電機。
【発明の詳細な説明】
【技術分野】
【０００１】
本発明の実施形態は、三相電気機器および回転電機に関する。
【背景技術】
【０００２】
回転電機などの三相電気機器において、一般的な結線と端子箱での端子配列の関係を図１１に示す。図１１（Ａ）は３相巻線Ｌ１〜Ｌ３の星型（Ｙ字）結線を示す。図１１（Ａ）において、３相巻線Ｌ１〜Ｌ３の線路側端子（Ｕ，Ｖ，Ｗ）の符号を１〜３、中性点側端子（ｕ，ｖ，ｗ）の符号を４〜６としている。３つの線路側端子（Ｕ，Ｖ，Ｗ）は線路側端子行を構成しており、３つの中性点側端子（ｕ，ｖ，ｗ）は中性点側端子行を構成している。
【０００３】
図１１（Ｂ）は、前記のような結線構造に対して、同電気機器の端子箱７底面における貫通端子の一般的な配列を下方から見た図である。図１１（Ｂ）に示すように、２行３列の行列状に端子１〜６が配列されるもので、巻線Ｌ１に対するＵ−ｕ相の端子１，４、巻線Ｌ２に対するＶ−ｖ相の端子２，５、巻線Ｌ３に対するＷ−ｗ相の端子３，６がそれぞれ列位置を同じくして、行位置が異なるように、図の縦方向に沿って配列されている。
【０００４】
また図１２は、前記図１１の構成に代えて、各相の結線を２本とした、３相巻線Ｌ１１，Ｌ１２，Ｌ２１，Ｌ２２，Ｌ３１，Ｌ３２の星形（Ｙ字）結線と端子箱での端子配列の関係を示す。同図（Ａ）において、３相巻線Ｌ１１，Ｌ１２，Ｌ２１，Ｌ２２，Ｌ３１，Ｌ３２の線路側端子（Ｕ１，Ｕ２，Ｖ１，Ｖ２，Ｗ１，Ｗ２）の符号を８〜１３、中性点側端子（ｕ１，ｕ２，ｖ１，ｖ２，ｗ１，ｗ２）の符号を１４〜１９としている。３つの線路側端子（Ｕ１，Ｖ１，Ｗ１）および３つの３つの線路側端子（Ｕ２，Ｖ２，Ｗ２）が線路側端子行を構成しており、３つの中性点側端子（ｕ１，ｖ１，ｗ１）および３つの中性点側端子（ｕ２，ｖ２，ｗ２）が中性点側端子行を構成している。
【０００５】
図１２（Ｂ）は、前記のような結線構造に対して、同電気機器の端子箱７底面における貫通端子の一般的な配列を下方から見た図である。図１２（Ｂ）に示すように、４行３列の行列状に端子８〜１９が配列されるもので、巻線Ｌ１１，Ｌ１２に対するＵ１−ｕ１相、Ｕ２−ｕ２相の端子８，９，１４，１５、巻線Ｌ２１，Ｌ２２に対するＶ１−ｖ１相、Ｖ２−ｖ２相の端子１０，１１，１６，１７、巻線Ｌ３１，Ｌ３２に対するＷ１−ｗ１相、Ｗ２−ｗ２相の端子１２，１３，１８，１９がそれぞれ列位置を同じくして、行位置が異なるように、図の縦方向に沿って配列されている。
【０００６】
前記図１１、図１２に示した構成では、Ｕ−ｕ（Ｕ１−ｕ１，Ｕ２−ｕ２）相、およびＷ−ｗ（Ｗ１−ｗ１，Ｗ２−ｗ２）相の結線が、それぞれ端子箱７の左右両側面に沿って近接した状態で配設されている。
【０００７】
そのため、前記三相交流電流を通電すると、特に端子箱７の両側面においては、端子箱７自体が導電体である、例えば鋼板製の筐体で構成されていることから、近い位置にある結線により局所的に入射磁束密度が増加して渦電流損が増加し、例えば１００［℃］を超えるような局所加熱を生じる虞がある。
【０００８】
このような事態を回避するべく、固定子巻線の引出し線が引き出される貫通孔を形成する貫通孔形成部において生する渦電流を抑制し、加熱を防止できる回転電機の固定子を得るための技術も提案されている。
【先行技術文献】
【特許文献】
【０００９】
【特許文献１】特開２００７−０８９３５９号公報
【発明の概要】
【発明が解決しようとする課題】
【００１０】
前記特許文献に記載された技術は、線路側および中性点側それぞれの交流電流のベクトル和に応じて、端子箱における長貫通孔等を用いた端子構造を採る必要があり、端子箱が複雑な構成となる。
【００１１】
本発明は前述の課題を解決するためになされたものであり、より簡易な構成ながら、端子箱における局所的な加熱の発生を緩和させることが可能な三相電気機器および回転電機を提供することを目的とする。
【課題を解決するための手段】
【００１２】
実施形態の三相電気機器は、導電体で構成される端子箱と、前記端子箱の内部に設けられ、３つの線路側端子からなる線路側端子行および３つの中性点側端子からなる中性点側端子行を備え三相交流電流がそれぞれ通電される星形結線の３相の結線群を有する三相電気機器であって、前記３相の結線群のうち少なくとも１つの相の結線群において、前記線路側端子行の一端の前記線路側端子が、前記中性点側端子行の中央および他端のいずれか１つの前記中性点側端子と接続されるように配列される。
【発明の効果】
【００１３】
本発明の各実施形態によれば、より簡易な構成ながら、端子箱における局所的な加熱の発生を緩和させることが可能となる。
【図面の簡単な説明】
【００１４】
【図１】第１の実施形態に係る三相回転電機の星型結線と端子箱底面の端子配列とを示す図。
【図２】第２の実施形態に係る三相電気機器の星形結線と端子箱底面の端子配列とを示す図。
【図３】第２の実施形態に係る三相電気機器の星形結線と端子箱底面の他の端子配列とを示す図。
【図４】第３の実施形態に係る三相電気機器の星形結線と端子箱底面の端子配列とを示す図。
【図５】第３の実施形態に係る三相電気機器の星形結線と端子箱底面の他の端子配列とを示す図。
【図６】第４の実施形態に係る三相電気機器の星形結線と端子箱底面の端子配列とを示す図。
【図７】第５の実施形態に係る三相電気機器の星形結線と端子箱底面の端子配列とを示す図。
【図８】第５の実施形態に係る三相電気機器の星形結線と端子箱底面の他の端子配列とを示す図。
【図９】第６の実施形態に係る三相電気機器の星形結線と端子箱底面の端子配列とを示す図。
【図１０】第６の実施形態に係る三相電気機器の星形結線と端子箱底面の他の端子配列とを示す図。
【図１１】一般的な三相電気機器の星型結線と端子箱底面の端子配列とを示す図。
【図１２】一般的な三相電気機器の星型結線と端子箱底面の端子配列とを示す図。
【発明を実施するための形態】
【００１５】
以下、三相電気機器として電動機や発電機などの回転電機に適用した場合の実施形態について図面を参照して詳細に説明する。  
［第１の実施形態］  
図１は、第１の実施形態に係る回転電機の、固定子または回転子に用いられる三相星型結線と端子箱底面の端子配列とを示す図である。図１（Ａ）に係る星型結線に関しては、前記図１１（Ａ）で示した内容と実質的に同様であるため、同一部分には同一符号を付してその説明を省略する。
【００１６】
図１（Ｂ）は、前記図１（Ａ）のような結線構造に対して、同回転電機の端子箱２０における貫通端子の配列を下方から見た図である。図１（Ｂ）に示すように、２行３列の行列状に端子１〜６が配列される。本実施形態においては３相の結線群について、線路側端子行の両端の線路側端子が、中性点側端子行のそれぞれ反対端の中性点側端子と接続されるように配列されている。
【００１７】
巻線Ｌ２に対するＶ−ｖ相の端子２，５が、第２列の位置が同じで、行位置が異なるように、図の縦方向に沿って配列されている。
【００１８】
一方で、巻線Ｌ１に対するＵ−ｕ相の端子１，４と、巻線Ｌ３に対するＷ−ｗ相の端子３，６は、それぞれ第１列と第３列で相互に列位置が異なることで、共に端子箱２０底面の矩形に対して対角状になるように配列されている。
【００１９】
このような配列構成とすることにより、巻線Ｌ１を流れるＵ−ｕ相、および巻線Ｌ３を流れるＷ−ｗ相の双方による、端子箱２０への入射磁束密度が最大となる箇所が端子箱２０の図中の左右側面から離れることで、当該箇所における磁束密度が低減し、結果として端子箱２０の側壁面での局所加熱を緩和させることができる。
【００２０】
［第２の実施形態］  
図２は、第２の実施形態に係る回転電機の、固定子または回転子に用いられる三相星型結線と端子箱底面の端子配列とを示す図である。図２（Ａ）に係る星型結線に関しては、前記図１１（Ａ）で示した内容と実質的に同様であるため、同一部分には同一符号を付してその説明を省略する。
【００２１】
図２（Ｂ）は、前記図２（Ａ）のような結線構造に対して、同回転電機の端子箱２０における貫通端子の配列を下方から見た図である。図２（Ｂ）に示すように、２行３列の行列状に端子１〜６が配列される。本実施形態においては３相の結線群について、線路側端子行の一端の線路側端子が、中性点側端子行の中央の中性点側端子と接続されるように配列されている。
【００２２】
巻線Ｌ３に対するＷ−ｗ相の端子３，６が、第３列の位置が同じで、行位置が異なるように、図の縦方向、端子箱２０の右側面に沿って配列されている。
【００２３】
一方で、巻線Ｌ１に対するＵ−ｕ相の端子１，４と、巻線Ｌ２に対するＶ−ｖ相の端子２，５は、それぞれ第１列と第２列で相互に列位置が異なるように配列されている。
【００２４】
このような配列構成とすることにより、巻線Ｌ３を流れるＷ−ｗ相の結線により端子箱２０の右側面で局所的に入射磁束密度が増加して渦電流損が増加し、局所加熱を生じる虞がある。  
一方で、巻線Ｌ１を流れるＵ−ｕ相、および巻線Ｌ２を流れるＶ−ｖ相の双方による、端子箱２０への入射磁束密度が最大となる箇所は端子箱２０の図中の左側面から離れ、当該箇所における磁束密度が低減して、結果として端子箱２０の左側面での局所加熱を緩和させることができる。
【００２５】
［第２の実施形態の変形例］  
図３は、第２の実施形態の変形例に係る回転電機の、固定子または回転子に用いられる三相星型結線と端子箱底面の端子配列とを示す図である。図３（Ａ）に係る星型結線に関しては、前記図１１（Ａ）で示した内容と実質的に同様であるため、同一部分には同一符号を付してその説明を省略する。この変形例においても３相の結線群について、線路側端子行の一端の線路側端子が、中性点側端子行の中央の中性点側端子と接続されるように配列されている。
【００２６】
図３（Ｂ）は、前記図３（Ａ）のような結線構造に対して、同回転電機の端子箱２０における貫通端子の配列を下方から見た図である。図３（Ｂ）に示すように、２行３列の行列状に端子１〜６が配列される。
【００２７】
巻線Ｌ１に対するＵ−ｕ相の端子１，４が、第１３列の位置が同じで、行位置が異なるように、図の縦方向、端子箱２０の左側面に沿って配列されている。
【００２８】
一方で、巻線Ｌ２に対するＶ−ｖ相の端子２，５と、巻線Ｌ３に対するＷ−ｗ相の端子３，６は、それぞれ第２列と第３列で相互に列位置が異なるように配列されている。
【００２９】
このような配列構成とすることにより、巻線Ｌ１を流れるＵ−ｕ相の結線により端子箱２０の左側面で局所的に入射磁束密度が増加して渦電流損が増加し、局所加熱を生じる虞がある。  
一方で、巻線Ｌ２を流れるＶ−ｖ相、および巻線Ｌ３を流れるＷ−ｗ相の双方による、端子箱２０への入射磁束密度が最大となる箇所は端子箱２０の図中の右側面から離れ、当該箇所における磁束密度が低減して、結果として端子箱２０の右側面での局所加熱を緩和させることができる。
【００３０】
［第３の実施形態］  
図４は、第３の実施形態に係る回転電機の、固定子または回転子に用いられる三相星型結線と端子箱底面の端子配列とを示す図である。図４（Ａ）に係る星型結線に関しては、前記図１１（Ａ）で示した内容と実質的に同様であるため、同一部分には同一符号を付してその説明を省略する。
【００３１】
図４（Ｂ）は、前記図４（Ａ）のような結線構造に対して、同回転電機の端子箱２０における貫通端子の配列を下方から見た図である。図４（Ｂ）に示すように、２行３列の行列状に端子１〜６が配列される。本実施形態においては３相の結線群について、線路側端子行の一端の線路側端子が、中性点側端子行の中央および他端のいずれか一方の中性点側端子と接続されるように配列されている。特に本実施形態においては、線路側端子列における線路側端子の３相の位置が、中性点側端子列における中性点側端子の対応する３相の位置とそれぞれ異なるように配列されている。
【００３２】
巻線Ｌ１に対するＵ−ｕ相の端子１，４、巻線Ｌ２に対するＶ−ｖ相の端子２，５、巻線Ｌ３に対するＷ−ｗ相の端子３，６が、いずれも列位置および行位置が異なるように、端子箱２０底面に配列されている。
【００３３】
具体的には、線路側の端子１〜３が第１行、中性点側の端子４〜６が第２行に配されるもので、巻線Ｌ１に対するＵ−ｕ相の端子１が第１列、同端子４が第３列、巻線Ｌ２に対するＶ−ｖ相の端子２が第２列、同端子５が第１列、巻線Ｌ３に対するＷ−ｗ相の端子３が第３列、同端子６が第２列となるように配列されている。
【００３４】
このような配列構成とすることにより、巻線Ｌ１を流れるＵ−ｕ相、巻線Ｌ２を流れるＶ−ｖ相、および巻線Ｌ３を流れるＷ−ｗ相のいずれも、端子箱２０への入射磁束密度が最大となる箇所は端子箱２０の図中の左右両側面から離れ、当該箇所における磁束密度が低減して、結果として端子箱２０の左右両側面での局所加熱を緩和させることができる。
【００３５】
［第３の実施形態の変形例］  
図５は、第３の実施形態の変形例に係る回転電機の、固定子または回転子に用いられる三相星型結線と端子箱底面の端子配列とを示す図である。図５（Ａ）に係る星型結線に関しては、前記図１１（Ａ）で示した内容と実質的に同様であるため、同一部分には同一符号を付してその説明を省略する。
【００３６】
図５（Ｂ）は、前記図５（Ａ）のような結線構造に対して、同回転電機の端子箱２０における貫通端子の配列を下方から見た図である。図５（Ｂ）に示すように、２行３列の行列状に端子１〜６が配列される。
【００３７】
巻線Ｌ１に対するＵ−ｕ相の端子１，４、巻線Ｌ２に対するＶ−ｖ相の端子２，５、巻線Ｌ３に対するＷ−ｗ相の端子３，６が、いずれも列位置および行位置が異なるように、端子箱２０底面に配列されている。本変形例においても３相の結線群について、線路側端子行の一端の線路側端子が、中性点側端子行の中央および他端のいずれか一方の中性点側端子と接続されるように配列され、同様に、線路側端子列における線路側端子の３相の位置が、中性点側端子列における中性点側端子の対応する３相の位置とそれぞれ異なるように配列されている。
【００３８】
具体的には、線路側の端子１〜３が第１行、中性点側の端子４〜６が第２行に配されるもので、巻線Ｌ１に対するＵ−ｕ相の端子１が第１列、同端子４が第２列、巻線Ｌ２に対するＶ−ｖ相の端子２が第２列、同端子５が第３列、巻線Ｌ３に対するＷ−ｗ相の端子３が第３列、同端子６が第１列となるように配列されている。
【００３９】
このような配列構成とすることにより、巻線Ｌ１を流れるＵ−ｕ相、巻線Ｌ２を流れるＶ−ｖ相、および巻線Ｌ３を流れるＷ−ｗ相のいずれも、端子箱２０への入射磁束密度が最大となる箇所は端子箱２０の図中の左右両側面から離れ、当該箇所における磁束密度が低減して、結果として端子箱２０の左右両側面での局所加熱を緩和させることができる。
【００４０】
［第４の実施形態］  
図６は、第４の実施形態に係る回転電機の、固定子または回転子に用いられる三相星型結線と端子箱底面の端子配列とを示す図である。図６（Ａ）に係る星型結線に関しては、前記図１２（Ａ）で示した内容と実質的に同様であるため、同一部分には同一符号を付してその説明を省略する。
【００４１】
図６（Ｂ）は、前記図６（Ａ）のような結線構造に対して、同回転電機の端子箱２０における貫通端子の配列を下方から見た図である。図６（Ｂ）に示すように、４行３列の行列状に端子８〜１９が配列される。
【００４２】
線路側の端子８〜１３が第１行および第２行、中性点側の端子１４〜１９が第３行および第４行に配される。第１行および第２行が線路側端子行を構成し、第３行および第４行が中性点側端子行を構成する。巻線Ｌ２１，Ｌ２２に対するＶ１−ｖ１相、Ｖ２−ｖ２相の端子１０，１１，１６，１７が、第２列の位置が同じで、行位置が異なるように、図の縦方向に沿って配列されている。
【００４３】
一方で、巻線Ｌ１１，Ｌ１２に対するＵ１−ｕ１相、Ｕ２−ｕ２相の端子８，９，１４，１５と、巻線Ｌ３１，Ｌ３２に対するＷ１−ｗ１相、Ｗ２−ｗ２相の端子１２，１３，１８，１９は、それぞれ第１列と第３列で相互に列位置が異なることで、共に端子箱２０底面の矩形に対して略対角状になるように配列されている。
【００４４】
このような配列構成とすることにより、巻線Ｌ１１，Ｌ１２を流れるＵ１−ｕ１相、Ｕ２−ｕ２相、および巻線Ｌ３１，Ｌ３２を流れるＷ１−ｗ１相、Ｗ２−ｗ２相の双方による、端子箱２０への入射磁束密度が最大となる箇所が端子箱２０の図中の左右両側面から離れることで、当該箇所における磁束密度が低減し、結果として端子箱２０の左右両側面での局所加熱を緩和させることができる。
【００４５】
［第５の実施形態］  
図７は、第５の実施形態に係る回転電機の、固定子または回転子に用いられる三相星型結線と端子箱底面の端子配列とを示す図である。図７（Ａ）に係る星型結線に関しては、前記図１２（Ａ）で示した内容と実質的に同様であるため、同一部分には同一符号を付してその説明を省略する。
【００４６】
図７（Ｂ）は、前記図７（Ａ）のような結線構造に対して、同回転電機の端子箱２０における貫通端子の配列を下方から見た図である。図７（Ｂ）に示すように、４行３列の行列状に端子８〜１９が配列される。
【００４７】
線路側の端子８〜１３が第１行および第２行、中性点側の端子１４〜１９が第３行および第４行に配される。第１行および第２行が線路側端子行を構成し、第３行および第４行が中性点側端子行を構成する。巻線Ｌ３１，Ｌ３２に対するＷ１−ｗ１相、Ｗ２−ｗ２相の端子１２，１３，１８，１９が、第３列の位置が同じで、行位置が異なるように、図の縦方向、端子箱２０の右側面に沿って配列されている。
【００４８】
一方で、巻線Ｌ１１，Ｌ１２に対するＵ１−ｕ１相、Ｕ２−ｕ２相の端子８，９，１４，１５と、巻線Ｌ２１，Ｌ２２に対するＶ１−ｖ１相、Ｖ２−ｖ２相の端子１０，１１，１６，１７は、それぞれ第１列および第２列と第３列および第４列とで相互に列位置が異なるように配列されている。
【００４９】
このような配列構成とすることにより、巻線Ｌ３１，Ｌ３２を流れるＷ１−ｗ１相、Ｗ２−ｗ２相の結線により端子箱２０の右側面で局所的に入射磁束密度が増加して渦電流損が増加し、局所加熱を生じる虞がある。  
一方で、巻線Ｌ１１，Ｌ１２を流れるＵ１−ｕ１相およびＵ２−ｕ２相と、巻線Ｌ２１，Ｌ２２を流れるＶ１−ｖ１相およびＶ２−ｖ２相の双方による、端子箱２０への入射磁束密度が最大となる箇所は端子箱２０の図中の左側面から離れ、当該箇所における磁束密度が低減して、結果として端子箱２０の左側面での局所加熱を緩和させることができる。
【００５０】
［第５の実施形態の変形例］  
図８は、第５の実施形態の変形例に係る回転電機の、固定子または回転子に用いられる三相星型結線と端子箱底面の端子配列とを示す図である。図８（Ａ）に係る星型結線に関しては、前記図１２（Ａ）で示した内容と実質的に同様であるため、同一部分には同一符号を付してその説明を省略する。
【００５１】
図８（Ｂ）は、前記図８（Ａ）のような結線構造に対して、同回転電機の端子箱２０における貫通端子の配列を下方から見た図である。図８（Ｂ）に示すように、４行３列の行列状に端子８〜１９が配列される。
【００５２】
線路側の端子８〜１３が第１行および第２行、中性点側の端子１４〜１９が第３行および第４行に配される。第１行および第２行が線路側端子行を構成し、第３行および第４行が中性点側端子行を構成する。巻線Ｌ１１，Ｌ１２に対するＵ１−ｕ１相、Ｕ２−ｕ２相の端子８，９，１４，１５が、第１列の位置が同じで、行位置が異なるように、図の縦方向、端子箱２０の左側面に沿って配列されている。
【００５３】
一方で、巻線Ｌ２１，Ｌ２２に対するＶ１−ｖ１相、Ｖ２−ｖ２相の端子１０，１１，１６，１７と、巻線Ｌ３１，Ｌ３２に対するＷ１−ｗ１相、Ｗ２−ｗ２相の端子１２，１３，１８，１９は、それぞれ第１列および第２列と第３列および第４列とで相互に列位置が異なるように配列されている。
【００５４】
このような配列構成とすることにより、巻線Ｌ１１，Ｌ１２を流れるＵ１−ｕ１相、Ｕ２−ｕ２相の結線により端子箱２０の左側面で局所的に入射磁束密度が増加して渦電流損が増加し、局所加熱を生じる虞がある。  
一方で、巻線Ｌ２１，Ｌ２２を流れるＶ１−ｖ１相およびＶ２−ｖ２相と、巻線Ｌ３１，Ｌ３２を流れるＷ１−ｗ１相およびＷ２−ｗ２相の双方による、端子箱２０への入射磁束密度が最大となる箇所は端子箱２０の図中の右側面から離れ、当該箇所における磁束密度が低減して、結果として端子箱２０の右側面での局所加熱を緩和させることができる。
【００５５】
［第６の実施形態］  
図９は、第６の実施形態に係る回転電機の、固定子または回転子に用いられる三相星型結線と端子箱底面の端子配列とを示す図である。図９（Ａ）に係る星型結線に関しては、前記図１２（Ａ）で示した内容と実質的に同様であるため、同一部分には同一符号を付してその説明を省略する。
【００５６】
図９（Ｂ）は、前記図９（Ａ）のような結線構造に対して、同回転電機の端子箱２０における貫通端子の配列を下方から見た図である。図９（Ｂ）に示すように、４行３列の行列状に端子８〜１９が配列される。
【００５７】
線路側の端子８〜１３が第１行および第２行、中性点側の端子１４〜１９が第３行および第４行に配される。第１行および第２行が線路側端子行を構成し、第３行および第４行が中性点側端子行を構成する。特に本実施形態においては、線路側端子列における線路側端子の３相の列位置が、中性点側端子列における中性点側端子の対応する３相の列位置とそれぞれ異なるように配列されている。
【００５８】
すなわち、巻線Ｌ１１，Ｌ１２に対するＵ１−ｕ１相、Ｕ２−ｕ２相の端子８，９，１４，１５、巻線Ｌ２１，Ｌ２２に対するＶ１−ｖ１相、Ｖ２−ｖ２相の端子１０，１１，１６，１７、巻線Ｌ３１，Ｌ３２に対するＷ１−ｗ１相、Ｗ２−ｗ２相の端子１２，１３，１８，１９が、いずれも線路側と中性線側とで列位置が異なるように、端子箱２０底面に配列されている。
【００５９】
具体的には、巻線Ｌ１１，Ｌ１２に対するＵ１−ｕ１相、Ｕ２−ｕ２相の端子８，９が第１列、同端子１４，１５が第３列、巻線Ｌ２１，Ｌ２２に対するＶ１−ｖ１相、Ｖ２−ｖ２相の端子１０，１１が第２列、同端子１６，１７が第１列、巻線Ｌ３１，Ｌ３２に対するＷ１−ｗ１相、Ｗ２−ｗ２相の端子１２，１３が第３列、同端子１８，１９が第２列となるように配列されている。
【００６０】
このような配列構成とすることにより、巻線Ｌ１１，Ｌ１２を流れるＵ１−ｕ１相およびＵ２−ｕ２相、巻線Ｌ２１，Ｌ２２を流れるＶ１−ｖ１相およびＶ２−ｖ２相、巻線Ｌ３１，Ｌ３２を流れるＷ１−ｗ１相およびＷ２−ｗ２相のいずれも、端子箱２０への入射磁束密度が最大となる箇所は端子箱２０の図中の左右両側面から離れ、当該箇所における磁束密度が低減して、結果として端子箱２０の左右両側面での局所加熱を緩和させることができる。
【００６１】
［第６の実施形態の変形例］  
図１０は、第３の実施形態の変形例に係る回転電機の、固定子または回転子に用いられる三相星型結線と端子箱底面の端子配列とを示す図である。図１０（Ａ）に係る星型結線に関しては、前記図１２（Ａ）で示した内容と実質的に同様であるため、同一部分には同一符号を付してその説明を省略する。
【００６２】
図１０（Ｂ）は、前記図１０（Ａ）のような結線構造に対して、同回転電機の端子箱２０における貫通端子の配列を下方から見た図である。図１０（Ｂ）に示すように、４行３列の行列状に端子８〜１９が配列される。
【００６３】
線路側の端子８〜１３が第１行および第２行、中性点側の端子１４〜１９が第３行および第４行に配される。第１行および第２行が線路側端子行を構成し、第３行および第４行が中性点側端子行を構成し、同様に、線路側端子列における線路側端子の３相の位置が、中性点側端子列における中性点側端子の対応する３相の位置とそれぞれ異なるように配列されている。
【００６４】
すなわち、巻線Ｌ１１，Ｌ１２に対するＵ１−ｕ１相、Ｕ２−ｕ２相の端子８，９，１４，１５、巻線Ｌ２１，Ｌ２２に対するＶ１−ｖ１相、Ｖ２−ｖ２相の端子１０，１１，１６，１７、巻線Ｌ３１，Ｌ３２に対するＷ１−ｗ１相、Ｗ２−ｗ２相の端子１２，１３，１８，１９が、いずれも線路側と中性線側とで列位置が異なるように、端子箱２０底面に配列されている。
【００６５】
具体的には、巻線Ｌ１１，Ｌ１２に対するＵ１−ｕ１相、Ｕ２−ｕ２相の端子８，９が第１列、同端子１４，１５が第２列、巻線Ｌ２１，Ｌ２２に対するＶ１−ｖ１相、Ｖ２−ｖ２相の端子１０，１１が第２列、同端子１６，１７が第３列、巻線Ｌ３１，Ｌ３２に対するＷ１−ｗ１相、Ｗ２−ｗ２相の端子１２，１３が第３列、同端子１８，１９が第１列となるように配列されている。
【００６６】
このような配列構成とすることにより、巻線Ｌ１１，Ｌ１２を流れるＵ１−ｕ１相およびＵ２−ｕ２相、巻線Ｌ２１，Ｌ２２を流れるＶ１−ｖ１相およびＶ２−ｖ２相、巻線Ｌ３１，Ｌ３２を流れるＷ１−ｗ１相およびＷ２−ｗ２相のいずれも、端子箱２０への入射磁束密度が最大となる箇所は端子箱２０の図中の左右両側面から離れ、当該箇所における磁束密度が低減して、結果として端子箱２０の左右両側面での局所加熱を緩和させることができる。
【００６７】
以上、第１乃至第６の実施形態について説明した通り、各実施形態においては、３相の結線群のうち少なくとも１つの相の結線群において、線路側端子行の一端の線路側端子が、中性点側端子行の中央および他端のいずれか１つの中性点側端子と接続されるように配列される。
【００６８】
第１乃至第６の実施形態はいずれも、三相電気機器として回転電機に適用した場合について説明したものであり、特に建屋内に設置される回転電機の下方に端子箱２０が設置される場合、当該端子箱２０が地下となる位置に存在し、局所加熱によって熱がこもる可能性が高い。
【００６９】
そのため、特に可動部を有する回転電機において、施設の保守、点検等を行なう作業員が不用意に火傷等を負うことなく、作業を安全に実施するためにも、本実施形態の技術がきわめて有効となる。
【００７０】
また本実施形態は、三相電気機器として変電器等の施設に適用する場合にも、特に端子箱２０の発熱により周囲の環境等に悪い影響を及ぼすような事態を未然に回避することができる点で有効となる。
【００７１】
また前記各実施形態では説明しなかったが、本実施形態では端子箱２０の底面における端子配列が各相および線路側と中性点側とで一定の規則で整然と配列されるものではないため、３相の各相名と、線路側または中性点側の別とを、それぞれ文字、記号、形状あるいは色分け等を必要により併用した識別子によって識別可能に表記するようにしても良い。
【００７２】
このような端子名の識別子をさらに設けることにより、端子接続時や保守点検時のミスを未然に防止できる。これらの識別子は各相名と線路側または中性点側の別の両方を示すものが望ましいが、相名、もしくは線路側または中性点側の別のいずれか一方でも構わない。
【００７３】
例えば、３相を識別させる識別子として２つの記号表記を用い、残りの１相については表記を付さないことが識別子となりうる。同様に、線路側または中性点側の別を識別させる識別子として１つの表記のみ用いれば、他方には表記を付さないことが識別子となる。
【００７４】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７５】
１〜３…線路側端子、４〜６…中性点側端子、８〜１３…線路側端子、１４〜１９…中性点側端子、２０…端子箱、Ｌ１〜Ｌ３，Ｌ１１，Ｌ１２，Ｌ２１，Ｌ２２，Ｌ３１，Ｌ３２…巻線
【図１】
2019106817.tif 000003
【図２】
2019106817.tif 000004
【図３】
2019106817.tif 000005
【図４】
2019106817.tif 000006
【図５】
2019106817.tif 000007
【図６】
2019106817.tif 000008
【図７】
2019106817.tif 000009
【図８】
2019106817.tif 000010
【図９】
2019106817.tif 000011
【図１０】
2019106817.tif 000012
【図１１】
2019106817.tif 000013
【図１２】
2019106817.tif 000014